(57)【要約】【課題】  透明な板部材上に原稿を案内する案内部材を有する構成において前記案内部材における原稿の先端の引っ掛かりを考慮した原稿読み取り装置を提供すること。【解決手段】  原稿読み取り装置（２）は、第１載置部（９、３０）から第２載置部（２３、５０）までの原稿（Ｐ）が送られる送り経路の一部を構成し、原稿の被読み取り面と接触する透明な板部材（５）と、原稿を送る送り手段（６０）と、原稿が読み取られる読み取り領域Ａを通過する原稿を、前記透明な板部材を介して読み取る読み取り手段（７５）と、前記透明な板部材上に設けられ前記透明な板部材と接触する原稿を前記第２載置部側へ案内する案内部材（７）と、送り経路上における前記読み取り領域Ａと前記案内部材（７）との間において、原稿（Ｐ）の送り方向下流端である先端を前記透明な板部材（５）から浮かせる手段（３）と、を備えていることを特徴とする。【選択図】図４
2011091599.tif 000002
【特許請求の範囲】
【請求項１】
読み取り前の原稿を載置する第１載置部と、
読み取り後の原稿を載置する第２載置部と、
前記第１載置部から前記第２載置部までの原稿が送られる送り経路の一部を構成し、原稿の被読み取り面と接触する透明な板部材と、
前記第１載置部から原稿が読み取られる前記透明な板部材上の読み取り領域を経由して前記第２載置部へ原稿を送る送り手段と、
前記読み取り領域を通過する原稿を、前記透明な板部材を介して読み取る読み取り手段と、
前記透明な板部材上における原稿と接触する面側に設けられ、前記透明な板部材と接触する原稿を前記第２載置部側へ案内する案内部材と、
送り経路上における前記読み取り領域と前記案内部材との間において、原稿の送り方向下流端である先端を前記透明な板部材から浮かせる手段と、を備えた原稿読み取り装置。
【請求項２】
請求項１に記載の原稿読み取り装置において、前記浮かせる手段は、前記透明な板部材と接触している原稿を基準とした前記透明な板部材側と反対側に設けられた第１帯電部材であって、該第１帯電部材は、送られてきた原稿の帯電状態に対して正負逆の極性の帯電状態に構成されている原稿読み取り装置。
【請求項３】
請求項１に記載の原稿読み取り装置において、前記浮かせる手段は、前記案内部材における送り方向上流側に設けられた第２帯電部材であって、該第２帯電部材は、送られてきた原稿の帯電状態に対して正負同じ極性の帯電状態に構成されている原稿読み取り装置。
【請求項４】
請求項１に記載の原稿読み取り装置において、前記浮かせる手段は、吸引する気流を発生させる第１気流発生手段を有しており、該第１気流発生手段は、前記透明な板部材と接触している原稿を基準とした前記透明な板部材側と反対側において、吸引する気流を発生させる構成である原稿読み取り装置。
【請求項５】
請求項１に記載の原稿読み取り装置において、前記浮かせる手段は、送り出す気流を発生させる第２気流発生手段を有しており、該第２気流発生手段は、前記案内部材における送り方向上流端から送り方向上流側の前記案内部材を通過する前の原稿の先端と前記透明な板部材との間へ向かう気流を発生させる構成である原稿読み取り装置。
【請求項６】
請求項１乃至５のいずれか１項に記載の原稿読み取り装置において、
前記第１載置部において、原稿は該原稿の被読み取り面を積層方向上方へ向けて載置され、
前記第１載置部から前記読み取り領域まで到達する間に原稿の被読み取り面が積層方向下方へ反転される構成であって、
前記読み取り領域は、前記透明な板部材の両端の中央を基準とした一端側に偏倚しており、
前記読み取り領域における原稿の送り方向は、前記透明な板部材の両端のうちの前記一端側から中央へ向かう方向であることを特徴とする原稿読み取り装置。
【発明の詳細な説明】
【技術分野】
【０００１】
本発明は、読み取り前の原稿を載置する第１載置部と、読み取り後の原稿を載置する第２載置部と、前記第１載置部から前記第２載置部までの原稿が送られる送り経路の一部を構成し、原稿の被読み取り面と接触する透明な板部材と、前記第１載置部から原稿が読み取られる前記透明な板部材上の読み取り領域を経由して前記第２載置部へ原稿を送る送り手段と、前記読み取り領域を通過する原稿を、前記透明な板部材を介して読み取る読み取り手段と、前記透明な板部材上における該透明な板部材を基準とした前記第２載置部側に設けられ、前記透明な板部材と接触する原稿を前記第２載置部側へ案内する案内部材と、を備えた原稿読み取り装置に関する。
【背景技術】
【０００２】
従来では、特許文献１に示す如く、原稿読み取り装置としての画像読み取り装置は、第１載置部と、第２載置部と、透明な板部材としての一枚のガラス板と、送り手段と、読み取り手段と、案内部材と、透明なシート部材と、を有していた。このうち、前記第１載置部は、読み取り前の原稿を載置することができるように設けられていた。  
ここで、「原稿」とは、読み取り対象のシート状の媒体であって文書や写真をいう。
【０００３】
また、前記第２載置部は、読み取り後の原稿を載置することができるように設けられていた。またさらに、前記ガラス板は、前記第１載置部から前記第２載置部までの原稿が送られる送り経路の一部を構成し、原稿が読み取られる読み取り領域を構成していた。また、前記送り手段は、前記第１載置部から前記読み取り領域を経由して前記第２載置部へ原稿を送ることができるように設けられていた。
【０００４】
またさらに、前記読み取り手段は、前記読み取り領域において、前記ガラス板および詳しくは後述する前記透明なシート部材を介して原稿を読み取ることができるように設けられていた。また、前記案内部材は、前記一枚のガラス板上に設けられ、前記透明なシート部材と協働して送られる原稿を前記第２載置部側へ案内することができるように設けられていた。またさらに、前記透明なシート部材は、前記読み取り領域において、原稿と前記ガラス板との間に設けられており、該透明なシート部材における送り方向下流側は、前記案内部材における前記ガラス板側と反対側である上側まで延設されていた。従って、原稿の送り方向下流端である先端を、前記読み取り領域から前記案内部材の上側まで滑らかに案内することができた。
【０００５】
また、特許文献２に示す如く、画像読み取り装置は、第１載置部と、第２載置部と、透明な板部材としての二つのガラス板と、送り手段と、読み取り手段と、案内部材とを有していた。またさらに、二つのガラス板のうち、一方のガラス板は、前記第１載置部から前記第２載置部までの原稿が送られる送り経路の一部を構成し、原稿の被読み取り面と接触することができるように構成されていた。他方のガラス板は、送り経路とは別であって、ユーザーが原稿を直接セットすることにより、原稿の被読み取り面と接触するように設けられていた。また、前記読み取り手段は、前記ガラス板を介して原稿を読み取ることができるように設けられていた。
【０００６】
またさらに、前記案内部材は、前記二つのガラス板の間に設けられ、前記一方のガラス板に沿って送られる原稿を前記第２載置部側へ案内することができるように設けられていた。ここで、前記案内部材における送り方向上流端は、前記一方のガラス板の表面より下がった位置に設けられていた。即ち、前記案内部材は、前記ガラス板上に設けられていない構成である。従って、原稿の先端を、前記読み取り領域から前記案内部材の上側まで滑らかに案内することができた。
【先行技術文献】
【特許文献】
【０００７】
【特許文献１】特開２００９−１７１２９７号公報
【特許文献２】特開２００９−１２４４９０号公報
【発明の概要】
【発明が解決しようとする課題】
【０００８】
ところが、特許文献１に示す画像読み取り装置の構成では、前記透明なシート部材を使用するため、原稿との間の摩擦により該透明なシート部材において傷が発生する虞や、原稿の被読み取り面上のインクによって該透明なシート部材において汚れが生じる虞がある。係る場合、該透明なシート部材を交換する必要がある。また、交換の際、新しい透明なシート部材を折り曲げないように注意する必要がある。
【０００９】
またさらに、指紋を付けないように注意する必要がある。また、前記透明なシート部材に異物が付着した場合、前記透明なシート部材を一度取り外して該異物を除去する必要がある。またさらに、前記読み取り手段は、前記ガラス板および前記透明なシート部材を介して原稿を読み取る構成であるため、前記透明なシート部材を使用しない構成と比較して、読み取り精度が低下する虞がある。即ち、前記読み取り手段と原稿との間には、できるだけ余分な部材がない方がよい。
【００１０】
また、特許文献２に示す画像読み取り装置の構成では、前記二つのガラス板の間に前記案内部材が設けられているため、前記一方のガラス板および前記案内部材における押圧に対する耐久性が十分でない虞がある。即ち、ガラス板を二つに分けることにより、原稿がガラス板に押し付けられた際の押圧力の影響を受けやすくなる。そして、前記一方のガラス板および前記案内部材の位置精度が低下する虞がある。係る場合、原稿の被読み取り面の情報を読み取る際の読み取り精度が低下する虞がある。また、ガラス板を二つに分けることにより部品点数が増え、コストが上昇する虞がある。  
そこで、特許文献１の構成において、前記透明なシート部材を使用しない構成が考えられる。
【００１１】
図１２に示すのは、前記透明なシート部材を使用しない構成の原稿読み取り装置の一例を示す要部拡大概略側面図である。  
図１２に示す如く、原稿読み取り装置９０は、第１載置部９６と、第２載置部９７と、透明な板部材としての一枚のガラス板９２と、送り手段９８と、読み取り手段９９と、案内部材９４と、を有している。このうち、第１載置部９６は、読み取り前の原稿９５を載置することができるように設けられている。
【００１２】
また、第２載置部９７は、読み取り後の原稿９５を載置することができるように設けられている。またさらに、ガラス板９２は、第１載置部９６から第２載置部９７までの原稿９５が送られる側視Ｕ字の送り経路９１の一部を構成し、原稿９５の被読み取り面と接触することができるように構成されている。また、送り手段９８は、第１載置部９６から読み取り領域９３を経由して第２載置部９７へ原稿９５を送ることができるように設けられている。またさらに、読み取り手段９９は、ガラス板９２を介して原稿９５を読み取ることができるように設けられていた。また、案内部材９４は、一枚のガラス板上に設けられ、送られる原稿９５を第２載置部側へ案内することが可能に設けられている。
【００１３】
しかしながら、案内部材９４を一枚のガラス板上に設けると、ガラス板９２の表面と、案内部材９４の送り方向上流端９４ａとによって僅かではあるが段差が形成される。また、読み取り精度を安定させるために原稿９５は、読み取り領域９３においてガラス板９２に押し付けられている。またさらに、側視Ｕ字の送り経路９１によって原稿９５が撓み、該撓みが原稿９５のガラス板９２に対する押し付けを助長する。従って、原稿９５の先端が読み取り領域９３を通過した際、案内部材９４の送り方向上流端９４ａに引っ掛かる虞がある。その結果、原稿９５が送り経路９１において詰まる虞がある。また、原稿９５を破損してしまう虞がある。
【００１４】
本発明は、このような状況に鑑み成されたものであり、その課題は、透明な板部材上に原稿を案内する案内部材を有する構成において前記案内部材における原稿の先端の引っ掛かりを考慮した原稿読み取り装置を提供することである。
【課題を解決するための手段】
【００１５】
上記課題を達成するため、本発明の第１の態様の原稿読み取り装置は、読み取り前の原稿を載置する第１載置部と、読み取り後の原稿を載置する第２載置部と、前記第１載置部から前記第２載置部までの原稿が送られる送り経路の一部を構成し、原稿の被読み取り面と接触する透明な板部材と、前記第１載置部から原稿が読み取られる前記透明な板部材上の読み取り領域を経由して前記第２載置部へ原稿を送る送り手段と、前記読み取り領域を通過する原稿を、前記透明な板部材を介して読み取る読み取り手段と、前記透明な板部材上における原稿と接触する面側に設けられ、前記透明な板部材と接触する原稿を前記第２載置部側へ案内する案内部材と、送り経路上における前記読み取り領域と前記案内部材との間において、原稿の送り方向下流端である先端を前記透明な板部材から浮かせる手段と、を備えていることを特徴とする。
【００１６】
本発明の第１の態様によれば、前記浮かせる手段を備えているため、原稿の先端が前記透明な板部材上の前記案内部材に引っ掛かることを防止することができる。その結果、原稿が送り経路内において詰まる所謂、ジャムを防止することができる。また、原稿の先端が前記案内部材に引っ掛からないので、原稿の先端が破損してしまうことを防止することができる。またさらに、原稿の先端が前記案内部材に引っ掛かるときの衝突音を無にすることができる。騒音対策に有効である。
【００１７】
本発明の第２の態様は、第１の態様において、前記浮かせる手段は、前記透明な板部材と接触している原稿を基準とした前記透明な板部材側と反対側に設けられた第１帯電部材であって、該第１帯電部材は、送られてきた原稿の帯電状態に対して正負逆の極性の帯電状態に構成されていることを特徴とする。  
本発明の第２の態様によれば、第１の態様と同様の作用効果に加え、原稿が前記送り手段によって送られ、前記案内部材に到達するまでに生じる静電気を利用することができる。具体的には、送り経路において前記案内部材に到達するまでに、送り経路における摩擦により原稿における電気配列のバランスが崩れる。そして、原稿は、電気的に極性が一方に片寄った帯電状態となる。
【００１８】
ここで、「帯電状態」とは、静電気状態にあることをいう。帯電状態は、マイナス帯電かプラス帯電かのどちらかになる。送り経路の材質および前記送り手段の例えば、ローラーの材質は一定であるため、原稿の材質を変更しない限り、「帯電列表」（図８参照）における原稿と送り経路等との関係は一定である。ここで、「帯電列表」とは、電子を放ちやすいもの、あるいは電子を受け取りやすいものの序列を表として表したものをいう。
【００１９】
例えば、第１の素材と第２の素材との間において摩擦が生じた際、第１の素材がマイナス帯電およびプラス帯電のどちらになるかは、帯電列表の序列に従って、第２の素材との関係において相対的に決まる。  
従って、原稿の帯電状態は一定である。そして、前記第１帯電部材を、原稿の帯電状態に対して正負逆の極性の帯電状態とすることにより、前記第１帯電部材と、原稿との間に引き寄せる力を作用させることができる。
【００２０】
具体例として、原稿の材質が紙であるとする。一方、送り経路の材質がポリプロピレン、塩化ビニール、ポリエステル等の樹脂であり、ローラーの表面がゴムであったとする。係る場合、紙の原稿が送られると、原稿は摩擦により帯電状態となる。帯電列表の序列に従って、ポリプロピレン、塩化ビニール、ポリエステル、ゴム等との関係で、紙の原稿は、プラス帯電となる。  
係る場合、前記第１帯電部材を、マイナス帯電の状態にする。電源のマイナス側と接続することにより、マイナス帯電の状態とすることができる。尚、「電源のマイナス側」とは、接地（アース）ではなく、負の電圧をいう。
【００２１】
これにより、紙の原稿の先端は、前記第１帯電部材側に引き寄せられる。従って、紙の原稿の先端は、前記透明の板部材から離間することができる。即ち、原稿の先端を前記透明の板部材から浮き上がらせることができる。その結果、紙の原稿の先端が、前記透明の板部材と前記案内部材とによって形成される僅かな段差に引っ掛かることを防止することができる。言い換えると、原稿の先端が前記透明の板部材と前記案内部材との繋ぎ目に引っ掛かることを防止することができる。  
尚、原稿の材質に応じて、前記第１帯電部材の極性を切り換えることができるように設けることができるのは勿論である。
【００２２】
本発明の第３の態様は、第１の態様において、前記浮かせる手段は、前記案内部材における送り方向上流側に設けられた第２帯電部材であって、該第２帯電部材は、送られてきた原稿の帯電状態に対して正負同じ極性の帯電状態に構成されていることを特徴とする。  
本発明の第３の態様によれば、第１の態様と同様の作用効果に加え、前記第２帯電部材を、原稿の帯電状態に対して正負同じ極性の帯電状態とすることにより、前記第２帯電部材と、原稿との間に反発する力を作用させることができる。即ち、上記第２の態様と逆の力を作用させる構成である。
【００２３】
具体例として、原稿の材質が紙であるとする。一方、送り経路の材質がポリプロピレン、塩化ビニール、ポリエステル等の樹脂であり、ローラーの表面がゴムであったとする。係る場合、紙の原稿が送られると、原稿は摩擦により帯電状態となる。帯電列表の序列に従って、ポリプロピレン、塩化ビニール、ポリエステル、ゴム等との関係で、紙の原稿は、プラス帯電となる。  
係る場合、前記第２帯電部材を、プラス帯電の状態にする。電源のプラス側と接続することにより、プラス帯電の状態とすることができる。
【００２４】
これにより、紙の原稿の先端は、前記第２帯電部材側と反発する。従って、紙の原稿の先端は、前記透明の板部材から離間することができる。即ち、原稿の先端を前記透明の板部材から浮き上がらせることができる。その結果、紙の原稿の先端が、前記透明の板部材と前記案内部材とによって形成される僅かな段差に引っ掛かることを防止することができる。
【００２５】
本発明の第４の態様は、第１の態様において、前記浮かせる手段は、吸引する気流を発生させる第１気流発生手段を有しており、該第１気流発生手段は、前記透明な板部材と接触している原稿を基準とした前記透明な板部材側と反対側において、吸引する気流を発生させる構成であることを特徴とする。  
本発明の第４の態様によれば、第１の態様と同様の作用効果に加え、前記第１気流発生手段によって、上記第２の態様と同様に、前記反対側へ引きつける力を発生させることができる。従って、原稿の先端を前記透明の板部材から浮き上がらせることができる。その結果、原稿の先端が、前記透明の板部材と前記案内部材とによって形成される僅かな段差に引っ掛かることを防止することができる。
【００２６】
本発明の第５の態様は、第１の態様において、前記浮かせる手段は、送り出す気流を発生させる第２気流発生手段を有しており、該第２気流発生手段は、前記案内部材における送り方向上流端から送り方向上流側の前記案内部材を通過する前の原稿の先端と前記透明な板部材との間へ向かう気流を発生させる構成であることを特徴とする。  
本発明の第５の態様によれば、第１の態様と同様の作用効果に加え、前記第２気流発生手段によって、前記案内部材を通過する前の原稿の先端と前記透明な板部材との間に積極的に空気を入り込ませることができる。従って、上記第３の態様と同様に、原稿の先端を前記透明の板部材から浮き上がらせることができる。その結果、紙の原稿の先端が、前記透明の板部材と前記案内部材とによって形成される僅かな段差に引っ掛かることを防止することができる。
【００２７】
本発明の第６の態様は、第１から第５のいずれか一の態様において、前記第１載置部において、原稿は該原稿の被読み取り面を積層方向上方へ向けて載置され、前記第１載置部から前記読み取り領域まで到達する間に原稿の被読み取り面が積層方向下方へ反転される構成であって、前記読み取り領域は、前記透明な板部材の両端の中央を基準とした一端側に偏倚しており、前記読み取り領域における原稿の送り方向は、前記透明な板部材の両端のうちの前記一端側から中央へ向かう方向であることを特徴とする。
【００２８】
本発明の第６の態様によれば、第１から第５のいずれか一の態様と同様の作用効果に加え、前記読み取り領域は、前記透明な板部材の両端の中央を基準とした一端側に偏倚しており、前記読み取り領域における原稿の送り方向は、前記透明な板部材の両端のうちの前記一端側から中央へ向かう方向である。係る場合に、前記透明の板部材上に前記案内部材を必要とし、原稿の先端が引っ掛かる虞が生じるので、前記浮かせる手段は特に有効である。
【００２９】
また、前記構成では、前記載置部において、原稿の被読み取り面を積層方向上方へ向けて該原稿をセットすることができる。従って、ユーザーにとって利便性がよい。  
尚、仮に、前記読み取り領域における原稿の送り方向が、前記透明な板部材の両端の中央から両端うちの一端側へ向かう方向である場合、必ずしも前記案内部材を前記透明の板部材上に設けることを要しない。
【００３０】
しかしながら、係る場合、前記第１載置部から前記読み取り領域まで到達する間に原稿の表裏を反転する機構を設ける空間を確保することが非常に困難であるため、前記第１載置部において、原稿の被読み取り面を積層方向下方へ向けて該原稿をセットしなければならない。これは一般的ではないため、ユーザーにとって利便性がよくない。また、係る場合に、誤って原稿の被読み取り面を積層方向上方へ向けてセットしたとすると、原稿の読み取られるべき面である被読み取り面と逆の面が読み取られることとなり、時間や動作の無駄となる。
【図面の簡単な説明】
【００３１】
【図１】本発明に係るプリンター複合機の全体を示す斜視図（給送装置閉状態）。
【図２】本発明に係るプリンター複合機の全体を示す斜視図（給送装置開状態）。
【図３】本発明に係るプリンター複合機の給送装置の使用状態を示す斜視図。
【図４】給送装置のカバー部が開いた状態のスキャナー装置を示す概略側断面図。
【図５】本発明に係る用紙を浮かせる手段の原理を示す要部拡大概略側断面図。
【図６】本発明に係る用紙を浮かせる手段の原理を示す要部拡大概略側断面図。
【図７】本発明に係る用紙を浮かせる手段の原理を示す要部拡大概略側断面図。
【図８】本発明に係る用紙送り経路の材質と用紙との関係である帯電列を示す図。
【図９】他の実施形態１の用紙を浮かせる手段の原理を示す要部拡大概略側断面図。
【図１０】他の実施形態２の用紙を浮かせる手段の原理を示す要部拡大概略側断面図。
【図１１】他の実施形態３の用紙を浮かせる手段の原理を示す要部拡大概略側断面図。
【図１２】出願人が検討している問題点を示す概略側断面図。
【発明を実施するための形態】
【００３２】
以下、本発明の実施の形態を図面に基づいて説明する。  
図１に示すのは、画像処理装置としてのプリンター複合機の給送装置を閉じた状態のときの外観を示す斜視図である。また、図２に示すのは、プリンター複合機の給送装置をプリンター本体部に対して上方へ開いた状態のときの外観を示す斜視図である。またさらに、図３に示すのは、プリンター複合機の給送装置を使用しているときの外観を示す斜視図である。  
最初に、本願発明の画像処理装置を実施するための最良の形態としてインクジェットプリンターの上部にスキャナー装置を搭載したプリンター複合機について、その全体構成の概略を簡単に説明する。
【００３３】
図１〜図３に示す如く、プリンター複合機１は、プリンター本体部１０と、給送装置２０とを有している。  
このうち、プリンター本体部１０は、プリンター複合機１の鉛直方向下方（用紙の積層方向であるＺ軸の矢印方向と反対方向）に配設されている。また、プリンター本体部１０は、読み取り装置７０と、給送部１２と、記録部１３と、排出部１４とを備えている。
【００３４】
読み取り装置７０は、プリンター本体部１０における給送装置側である上方（Ｚ軸の矢印の方向）に配設されている。そして、読み取り装置７０は、詳しくは後述する給送装置２０によって、給送された読み取り対象物の原稿としての用紙Ｐの面に記録された写真や文書等の情報を読み取ることができるように構成されている。また、給送部１２は、プリンター本体部１０の内部に積層された用紙Ｐを給送することができるように構成されている。またさらに、記録部１３は、給送部１２によって給送された用紙Ｐに対してインクを吐出することにより記録実行をすることができるように構成されている。また、排出部１４は、記録部１３において記録された用紙Ｐをプリンター本体部１０の内部から外部へ排出することができるように構成されている。
【００３５】
また、図２に示す如く、給送装置２０は、ヒンジ部８０によってプリンター本体部１０に対して揺動可能に接続されている。そして、給送装置全体を上方へ揺動させて、プリンター本体部１０の読み取り装置７０のガラス板５で形成された第１読み取り面７８に、用紙Ｐの読み取らせたい面を向けて、直接、用紙Ｐをセットすることができる。係る場合、上方へ揺動させた給送装置全体を下方へ揺動させて図１に示す状態にする。  
そして、給送装置２０に設けられた第１押さえ部材６１によって用紙Ｐを読み取り装置７０に押し当てて、用紙Ｐの面の情報を読み取り装置７０に読み取らせることができる。
【００３６】
一方、給送装置２０は、プリンター本体部１０の上方に配設されている。そして、プリンター本体部側の読み取り装置７０のガラス板５で形成された第２読み取り面７９と対向する位置に対して用紙Ｐを給送することができるように設けられている。具体的には、送りローラー６０（図２参照）によって矢印Ｑ（図３参照）が示す方向へ用紙Ｐが送られるように設けられている。そして、読み取り装置７０によって用紙Ｐの面に記録された情報が読み取られる。その後、給送装置２０は、用紙Ｐを排出トレイ部５０（図３参照）まで送ることができるように設けられている。
【００３７】
即ち、ユーザーは、読み取り装置７０を使用する際、給送装置２０を上方へ揺動させて給送装置２０が開いた状態にして、直接用紙Ｐを第１読み取り面７８にセットして再び給送装置２０を閉じてから使用することができる。また、給送装置２０のカバー部４０を開くことによって、給送装置２０に用紙Ｐをセットして読み取り装置７０を使用することもできるように構成されている。  
尚、本実施形態では、読み取り装置７０および給送装置２０によってスキャナー装置２が構成されている。
【００３８】
給送装置２０について簡単に説明する。  
給送装置２０は、基体部２１と、カバー部４０と、用紙サポート部３０と、排出トレイ部５０とを有している。カバー部４０は、用紙サポート部３０を覆うことが可能に設けられている。また、用紙サポート部３０は、用紙Ｐの給送トレイの役割を果たすことができるように設けられている。またさらに、排出トレイ部５０は、読み取り装置７０によって読み取られた用紙Ｐを載置することができるように設けられている。
【００３９】
図１に示すカバー閉状態では、基体部２１の上面、カバー部４０および排出トレイ部５０は、緩やかな曲面上に所謂、面一となるように構成されている。従って、美しい外観を構成することができる。このときの排出トレイ部５０の位置が、排出トレイ部５０の「不使用時位置（Ｅ１）」である。  
ここで、排出トレイ部５０の「不使用時位置（Ｅ１）」とは、排出トレイ部５０として機能しない位置をいう。具体的には、給送装置２０を使用しないときにとる位置であって、カバー閉状態にとる前記曲面を面一に形成する位置である。
【００４０】
カバー閉状態では、後述する給送開口部３３（図３参照）は閉じた状態である。また、排出開口部５３（図３参照）も閉じた状態である。  
ここで、給送開口部３３とは、後述する内側第１用紙案内部材９および用紙サポート部３０によって用紙Ｐがセットされる開口部をいう。一方、排出開口部５３とは、用紙Ｐが後述する排出トレイ部５０へ排出される開口部をいう。  
また、カバー部４０のカバー軸部４１（図１および図３参照）を基準とした一端側４２には、切欠き部４３が設けられている（図１参照）。従って、ユーザーは、切欠き部４３に指を引っかけてカバー部４０を図１に示すカバー閉状態から図３に示すカバー開状態に揺動させることができる。
【００４１】
カバー開状態にすると、カバー部４０に覆われていた用紙サポート部３０および給送開口部３３が現れると共に、用紙サポート部３０は上方へ変位する。この位置が用紙サポート部３０の「使用時ポジション（Ｄ２）」である。  
ここで、用紙サポート部３０の「使用時ポジション（Ｄ２）」とは、給送装置２０を使用するときにおける用紙サポート部３０がとるポジションをいう。カバー開状態のポジションである。
【００４２】
用紙サポート部３０の変位については、カバー部４０の一端側４２と反対側である他端側４４に設けられた第１動力伝達手段および第２動力伝達手段を兼ねる突片４５の作用によって行われる。具体的には、突片４５が、用紙サポート部３０を押し上げてサポート揺動軸３１を支点に揺動させて「使用時ポジション（Ｄ２）」へ変位させるように構成されている。  
ここで、第１動力伝達手段とは、カバー部４０が開閉する際の動力を用紙サポート部３０へ伝達して用紙サポート部３０を変位させる手段をいう。また、第２動力伝達手段とは、カバー部４０が開閉する際の動力を排出トレイ部５０へ伝達して排出トレイ部５０を変位させる手段をいう。
【００４３】
また、用紙サポート部３０には、用紙Ｐの幅方向Ｘへ移動可能なエッジガイド部３２、３２が設けられている。そして、用紙サポート部３０の「使用時ポジション（Ｄ２）」では、エッジガイド部３２、３２の少なくとも一部が基体部２１から上方へ突出するように構成されている。従って、ユーザーは、用紙Ｐを用紙サポート部上にセットした際、容易にエッジガイド部３２、３２を操作して用紙Ｐの位置および姿勢を安定させることができる。  
尚、基体部２１には、内側第１用紙案内部材９が設けられており、用紙Ｐは、内側第１用紙案内部材９から用紙サポート部３０の範囲に亘ってセットされるように構成されている。さらに、用紙Ｐの後端側がカバー部４０の内側面にも支持されるように構成してもよい。
【００４４】
またさらに、カバー開状態にすることにより、排出トレイ部５０は、「使用時位置（Ｅ２）」へ変位するように構成されている。具体的には、排出トレイ部５０は、揺動可能に設けられており、突片４５に支持されていた排出トレイ部５０の自由端側５２が突片４５の回動に伴い下方へ下がることによって、「使用時位置（Ｅ２）」へ変位する。これに伴い、排出開口部５３が開くように構成されている。
【００４５】
ここで、排出トレイ部５０の「使用時位置（Ｅ２）」とは、排出された用紙Ｐを受け止め載置することができる位置をいう。  
尚、カバー部４０を図１に示す如く閉じることによって、突片４５に支持されていた用紙サポート部３０は下方へ下がり「収納時ポジション（図示せず）」へ変位する。また、突片４５が排出トレイ部５０の自由端側５２を掬い上げるように作用して、排出トレイ部５０を「不使用時位置（Ｅ１）」へ変位させる。
【００４６】
読み取り装置７０は、外装部７１と、キャリッジ７４と、ガイド軸７３と、を備えている。  
このうち、外装部７１は、キャリッジ７４やガイド軸７３を内部に収納することができるように設けられている。また、キャリッジ７４は、ＣＩＳ（Contact Image Sensor）モジュールとしての役割を果たすように設けられている。
【００４７】
ここで、「ＣＩＳ（Contact Image Sensor）モジュール」とは、センサーＩＣを読み取り対象物の幅と同じ長さに配置した基板とＬＥＤ（発光ダイオード）などの光源を利用して、高速でライン読取を行うことのできるモジュール部品をいう。  
具体的には、キャリッジ７４は、図示しない発光部と、読み取り部７５とを有している。このうち、発光部は、赤、緑および青色の光源を有し加法混色により自在に色を変えて発光することができるように構成されている。例えば、赤色ＬＥＤ、緑色ＬＥＤおよび青色ＬＥＤを用いることができる。
【００４８】
また、読み取り部７５は、レンズ等を備え、用紙等の読み取り対象物の表面において反射された発光部からの光を検知して読み取り対象物の表面の情報を読み取ることができるように構成されている。  
そして、キャリッジ７４は、ベルト駆動等の図示しない駆動手段によって、Ｙ軸方向へ移動することができるように構成されている。  
また、ガイド軸７３は、Ｙ軸方向に延設されており、キャリッジ７４をＹ軸方向へ案内することができるように構成されている。
【００４９】
読み取り装置７０が用紙Ｐの表面に記録された情報を読み取るスキャニング動作を実行しているとき、発光部は、赤色ＬＥＤ、緑色ＬＥＤおよび青色ＬＥＤがそれぞれ発光して加法混色により白色の光を発光するように構成されている。これにより、読み取り部７５は、読み取り対象の表面において反射する光の波長を精度よく検出することができる。その結果、読み取り対象の表面の情報を精度よく読み取ることができる。  
前述したように給送装置２０を上方へ開いて第１読み取り面７８に用紙Ｐをセットした場合、キャリッジ７４は、Ｙ軸方向へ移動し、第１読み取り面７８にセットされた用紙Ｐの範囲の情報を読み取るように構成されている。
【００５０】
また、前述したように給送装置２０のカバー部４０を開いて用紙サポート部３０に用紙Ｐをセットした場合、キャリッジ７４は、Ｙ軸方向において、第２読み取り面７９の範囲に停止したままの状態である。そして、停止したままの状態で、第２読み取り面上の読み取り領域Ａ（図５参照）に送られてくる用紙Ｐの表面に記録された情報を読み取るように構成されている。
【００５１】
図４に示すのは、給送装置のカバー部が開いた状態のスキャナー装置を示す概略側断面図である。  
図４に示す如く、カバー部４０は、カバー軸部４１を支点に揺動可能に設けられている。カバー軸部４１を基準としたカバー部４０の一端側４２は、カバー部が閉じた状態（図１参照）において基体部２１に形成された規制部２６と係合するように構成されている。これにより、カバー部４０の図４における反時計方向の揺動が規制され、カバー部４０が閉じた状態の姿勢を精度よく決めることができる。
【００５２】
また、排出トレイ部５０は、排出トレイ軸部５１を支点に揺動可能に設けられている。そして、排出トレイ部５０の自由端側は、カバー部４０の一端側４２と反対側である他端側４４に形成された突片４５に支えられるように構成されている。従って、排出トレイ部５０の「不使用時位置（Ｅ１）」（図１参照）を精度よく決めることができる。  
またさらに、用紙サポート部３０は、サポート揺動軸３１を支点に揺動可能に設けられている。
【００５３】
そして、自重によって図４における時計方向へ揺動しようとするが、基体部２１に設けられた図示しない第１揺動規制突起によって用紙サポート部３０の姿勢が図４に示す状態より時計方向へ傾いた状態で規制されるように構成されている。用紙サポート部３０の「収納時ポジション」である。  
ここで、用紙サポート部３０の「収納時ポジション」とは、用紙サポート部３０が基体部２１に収納された状態のポジションをいう。具体的には、カバー部４０が閉じた状態にとるポジションである。
【００５４】
また、給送装置２０の内部には、基体部２１に形成されたＵ字型外側用紙案内部材８、内側第１用紙案内部材９、内側第２用紙案内部材１１および固定トレイ部２３によってＵ字状の送り経路が形成されている。さらに、読み取り領域Ａにおいて送り経路は、プリンター本体部側のガラス板上の第２読み取り面７９と、給送装置側の後述する第２押さえ部材１５（図５参照）によって形成されている。
【００５５】
またさらに、送り経路における用紙Ｐの送り方向上流側には、用紙サポート部３０が配設されている。一方、送り経路における用紙Ｐの送り方向下流側には、排出トレイ部５０が配設されている。また、送り経路におけるガラス板上の第２読み取り面７９の送り方向上流側には、読み取り部側第１案内部６が設けられている。一方、第２読み取り面７９の送り方向下流側には、読み取り部側第２案内部７が設けられている。読み取り部側第１案内部６は、用紙Ｐを滑らかにガラス板上の第２読み取り面７９へ案内することができるように形成されている。
【００５６】
そして、給送装置側における第２読み取り面７９と対向する位置には、第２押さえ部材１５（図５参照）が設けられている。第２押さえ部材１５は、Ｚ軸方向へ変位可能に設けられており、図示しない付勢手段によって第２押さえ部材１５と第２読み取り面７９との間に送られた用紙Ｐを第２読み取り面７９へ隙間無く押し付けることができるように設けられている。  
尚、第２押さえ部材１５は、固定式でもよいのは勿論である。固定式でも第２読み取り面７９との隙間を適度に設けることにより用紙Ｐの面を第２読み取り面７９と接触させることができるからである。
【００５７】
また、読み取り部側第２案内部７は、ガラス板５と接触している用紙Ｐをガラス板５から離間させるように形成されている。そして、固定トレイ部２３および排出トレイ部５０に用紙Ｐが排出された際、後続の用紙Ｐが先行した用紙Ｐの上に積層されるように構成されている。  
ここで、用紙Ｐの先端が読み取り部側第２案内部７を通過する際、前述したように用紙Ｐの先端が、読み取り部側第２案内部７の傾斜部７ａを上る前に読み取り部側第２案内部７における送り方向上流側の先端部７ｂ（図５参照）に引っ掛かる虞がある。
【００５８】
そこで、本実施形態のプリンター複合機１は、詳しくは後述するように用紙を浮かせる手段３を有している。従って、第２読み取り面７９において用紙Ｐの先端をガラス板５から離間させ、用紙Ｐの先端が読み取り部側第２案内部７の先端部７ｂよりＺ軸方向上方となるように浮かせることができる。その結果、用紙Ｐの先端が読み取り部側第２案内部７の先端部７ｂに引っ掛かる虞がない。
【００５９】
尚、固定トレイ部２３の送り方向下流側には、凹部２４および段差部２５が形成されている。  
このうち、凹部２４は、カバー部４０の突片４５が通過することができるように設けられている。また、段差部２５は、後述するように排出トレイ部５０が「使用時位置（Ｅ２）」に変位して段差部２５の低い箇所に排出トレイ部５０の自由端（５２）が位置することにより（図４参照）、用紙Ｐをスムーズに排出トレイ部５０へ案内することができるように構成されている。  
また、送りローラー６０、６０は、内側第１用紙案内部材９および用紙サポート部３０に亘ってセットされた用紙Ｐを一枚ずつピックアップして給送することができるように構成されている。
【００６０】
図４に示す如く、図１の状態からユーザーが図３の状態となるようにカバー部４０を揺動させると、用紙サポート部３０を、図４における反時計方向へ揺動させることができる。そして、用紙サポート部３０を、エッジガイド部３２、３２の少なくとも一部が基体部２１より上方へ突出した状態である用紙サポート部３０の「使用時ポジション（Ｄ２）」まで変位させることができる。
【００６１】
このとき、用紙サポート部３０は、基体部２１に設けられた図示しない第２揺動規制突起によって「使用時ポジション（Ｄ２）」より反時計方向への揺動が規制されるように構成されている。  
また、用紙サポート部３０は、「使用時ポジション（Ｄ２）」において、図示しない安定手段によって安定することができるように構成されている。
【００６２】
例えば、安定手段として、カバー部４０および基体部２１の一方に小さな突起を設け、他方に小さな凹部を設けて前記小さな突起と前記小さな凹部とを係合させることにより用紙サポート部３０を「使用時ポジション（Ｄ２）」で安定させることができる。  
尚、安定手段の保持力は、用紙サポート部３０の自重およびセットされる用紙Ｐの自重に対抗することができる程度であるのは言うまでもない。
【００６３】
用紙Ｐが内側第１用紙案内部材９および用紙サポート部３０にセットされた後、ユーザーは、エッジガイド部３２、３２の位置を確認する。そして、スキャナー部１１で用紙Ｐの面の情報を読み取るべく、図示しない表示部を操作する。すると、送りローラー６０、６０が、セットされた用紙Ｐのうちの最上位の用紙Ｐを、ピックアップして送り方向下流側へ送る。そして、送られる用紙Ｐは、送り経路の形状に沿ってＵ字状に向きを変えて反転する。このとき、スキャナー部１１で用紙Ｐの面の情報が読み取られる。  
その後、用紙Ｐは図示しないローラーによってさらに送り方向下流側に送られ、固定トレイ部２３および排出トレイ部５０へ排出される。
【００６４】
先行する用紙Ｐのスキャナー部１１での読み取りが完了した時点で、後続の用紙Ｐが送りローラー６０、６０によってピックアップされ、先行する用紙Ｐと同様にスキャナー部１１で読み取られる。このように、給送、読み取りおよび排出を繰り返すことにより、用紙サポート部３０にセットされた用紙Ｐの数は減少すると共に、排出トレイ部５０に積層される用紙Ｐの数は増加する。そして、最後の一枚の用紙Ｐが排出トレイ部５０に排出されるとスキャニング終了となる。
【００６５】
続いて、用紙を浮かせる手段３について詳しく説明する。  
図５〜図７に示すのは、本発明に係る用紙を浮かせる手段の原理を示す要部拡大概略側断面図である。このうち、図５は用紙の先端が第２案内部の先端部を通過する前の状態である。また、図６は用紙の先端が用紙の浮かせる手段によってＺ軸方向上方へ引き寄せられ先端部より上方へ変位した状態である。またさらに、図７は用紙の先端が第２案内部の傾斜部を上った状態である。
【００６６】
また、図８に示すのは、帯電列である。  
ここで、「帯電列」とは、電子を放ちやすいもの、あるいは電子を受け取りやすいものの序列をいう。帯電列に記載されたマイナス側の第１素材と、該第１素材よりプラス側の第２素材とを擦りあわせた場合、第１素材はマイナスに帯電し、第２素材はプラスに帯電する。例えば、アクリルと、ナイロンとを擦りあわせた場合、アクリルはマイナス帯電となり、一方、ナイロンはプラス帯電となる。即ち、二つの素材の相対的な関係により、それぞれの素材がマイナス帯電かプラス帯電かが決まる。
【００６７】
図５に示す如く、送り経路における第２読み取り面７９より送り方向上流側では、用紙Ｐは、読み取り部側第１案内部６と、内側第２用紙案内部材１１に形成された給送装置側第３案内部１１ａとによって第２読み取り面７９へ案内される。そして、キャリッジ７４がガラス板上の第２読み取り面７９を介して、第２押さえ部材１５に押さえられた用紙Ｐの面の情報を読み取るように構成されている。このとき、キャリッジ７４は停止しており、用紙Ｐが送り方向下流側へ送られることにより、用紙Ｐの一の面の情報を全て読み取ることができる。
【００６８】
そして、送り経路における第２読み取り面７９より送り方向下流側では、用紙Ｐは、読み取り部側第２案内部７と、内側第２用紙案内部材１１に形成された給送装置側第４案内部１１ｂとによって固定トレイ部２３および排出トレイ部５０へ案内される。  
尚、読み取り部側第２案内部７より送り方向下流側には、給送装置側と一体に形成された給送装置側第５案内部１６が設けられている。給送装置側第５案内部１６は、固定トレイ部２３および排出トレイ部５０に積層された先行する用紙Ｐのさらに上方へ後続の用紙Ｐを積層することができるように読み取り部側第２案内部７の補助的な役割をするように構成されている。
【００６９】
また、送り経路における第２押さえ部材１５と少なくとも読み取り部側第２案内部７の先端部７ｂとの間には、本実施形態の用紙を浮かせる手段３が設けられている。具体的に本実施形態の用紙を浮かせる手段３は、送り経路を基準とした給送装置側第４案内部側に設けられた第１帯電部材４である。  
ここで、本実施形態において、送り経路を構成する部材であるＵ字型外側用紙案内部材８、内側第１用紙案内部材９、内側第２用紙案内部材１１、読み取り部側第１案内部６、読み取り部側第２案内部７は、ポリプロピレン、ポリエステル、アクリル、ポリエチレン、塩化ビニール等の樹脂素材で形成されている。
【００７０】
また、送りローラー６０の表面は、ゴム素材で形成されている。一方、用紙Ｐは紙素材である。従って、送り経路において用紙Ｐが送られると、用紙Ｐの送り経路を構成する部材との間において摩擦などの運動により、用紙Ｐの電気配列のバランスが崩れる。そして、電気的に極性が一方に片寄り、帯電した状態となる。この帯電状態を「静電気状態にある」という。
【００７１】
具体的には、図８に示す如く、用紙Ｐ（紙）と、送り経路を構成する部材（ポリプロピレン、ポリエステル、アクリル、ポリエチレン、塩化ビニール等の樹脂素材）との相対的な関係により、用紙Ｐは、プラス帯電となる。  
一方、送り経路を構成する部材における用紙Ｐが通過した箇所は、用紙と反対極性のマイナス帯電となる。
【００７２】
そこで、本実施形態では、第１帯電部材４を、用紙Ｐの帯電状態と逆の極性となるように帯電させるように構成されている。具体的には、用紙Ｐはプラス帯電となるので、第１帯電部材４をマイナス帯電となるように、第１帯電部材４に負の電圧を加える。負の電圧は、電源電圧から電気的に接続することにより加えることができる。  
尚、負の電圧は、接地（グラウンド）である所謂、アースではない。  
また、図における「＋」および「−」は電子と陽子とを示すものではなく、帯電状態の正負極性を示すものである。
【００７３】
これにより、プラス帯電の用紙Ｐと、マイナス帯電の第１帯電部材４との間において、互いに引き寄せる力が作用する。従って、送り方向において第２押さえ部材１５を通過した用紙Ｐの先端側に対して、第１帯電部材側へ引き寄せる力を作用させることができる。その結果、用紙Ｐの先端を、ガラス板５における第２読み取り面７９から離間させることができる。即ち、用紙Ｐの先端を、ガラス板５における第２読み取り面７９から浮き上がらせることができる。
【００７４】
そして、図６に示す如く、図５の状態から用紙Ｐがさらに送り方向下流側へ送られる。この際、用紙Ｐに先端側には、第１帯電部材４によって浮き上がらせる力が作用している。従って、Ｚ軸方向において、用紙Ｐの先端の位置を、読み取り部側第２案内部７の先端部７ｂより上方の位置まで変位させることができる。そして、用紙Ｐの先端を、読み取り部側第２案内部７の傾斜部７ａに案内することができる。即ち、用紙Ｐの先端は、読み取り部側第２案内部７の先端部７ｂと接触することなく、傾斜部７ａと接触することができる。
【００７５】
続いて、図７に示す如く、図６の状態から用紙Ｐがさらに送り方向下流側へ送られる。この際、用紙Ｐの先端側は、読み取り部側第２案内部７の傾斜部７ａおよび給送装置側第５案内部１６に案内されながら下流側の固定トレイ部２３および排出トレイ部５０へ排出される。  
また、後続の用紙Ｐが送られると、先行した用紙Ｐと同様に後続の用紙Ｐもプラス帯電となる。
【００７６】
本実施形態では、第１帯電部材４の帯電状態をマイナス帯電の状態を維持することにより、送り方向における第２押さえ部材１５と先端部７ｂとの間において、ガラス板５における第２読み取り面７９から後続の用紙Ｐの先端を浮き上がらせることができる。その結果、用紙Ｐの先端が読み取り部側第２案内部７の先端部７ｂと接触して引っ掛かることを防止することができる。
【００７７】
尚、用紙Ｐの先端が読み取り部側第２案内部７の先端部７ｂを通過した後は、第１帯電部材４の帯電状態を一度解除してもよい。ここで、「帯電状態を解除する」とは放電することをいう。後続の用紙Ｐの先端が第２押さえ部材１５を通過するまでに、第１帯電部材４の帯電状態をマイナス帯電にすることで、用紙Ｐの先端が先端部７ｂに引っ掛かることを防止することができるからである。用紙Ｐの先端が第２押さえ部材１５を通過するタイミングについては、第２押さえ部材１５の近傍に用紙Ｐを検出するセンサーを設けることにより検出することができる。ここで、キャリッジ７４が読み取った情報から用紙Ｐの先端が通過したことを判断するように構成してもよいのは勿論である。
【００７８】
また、本実施形態では、送り経路を構成する部材との関係で用紙Ｐがプラス帯電となるので、第１帯電部材４の帯電状態をマイナス帯電としたが、これに限らずに逆の極性となる関係であればよい。仮に、送り経路を構成する部材との関係で用紙Ｐがマイナス帯電となる場合、第１帯電部材４の帯電状態をプラス帯電とすることは言うまでもない。  
またさらに、本実施形態では、第２読み取り面７９は、ガラス板５で構成されているが、用紙Ｐと摩擦が生じる程度が他の送り経路を構成する部材と比較して小さいので、用紙Ｐの帯電状態には殆ど影響を与えないものとする。
【００７９】
尚、透明なガラス板５のガラス素材に換えて透明なアクリル板等、帯電列において紙よりマイナス側の素材を用いることが望ましい。係る場合、用紙Ｐがプラス帯電となることを助長することができる。そして、用紙Ｐと、第１帯電部材４との間における互いに引き寄せる力を増大させることができるからである。本実施形態において、ガラス板５を用いたのは、傷等が付きにくいといった耐久性がアクリル板等より優れているからである。
【００８０】
また、本実施形態では、用紙サポート部３０、カバー部４０および排出トレイ部５０が変位する構成としたが、これに限られるものではない。用紙サポート部３０、カバー部４０および排出トレイ部５０が固定式であってもよいのは勿論である。  
またさらに、本実施形態では、原稿の一例として用紙を用いて説明したが原稿の素材は紙に限られるものではない。シート状の媒体であればよい。一枚のガラス板上に読み取り部側第２案内部７が設けられている構成であれば原稿（Ｐ）の先端が読み取り部側第２案内部７に引っ掛かる虞があり、本実施形態の用紙を浮かせる手段３は有効だからである。
【００８１】
また、本実施形態では、送り経路を側視Ｕ字状に構成したがこれに限られるものではない。  
またさらに、本実施形態では用紙を浮かせる手段について説明したが、概念としては原稿を正負の一方の極性に帯電させる第１帯電手段と、給送装置側第４案内部１１ｂに設けられた部材（４）を原稿の帯電状態と正負逆の極性に帯電させる第２帯電手段とを有していればよい。  
また、原稿（Ｐ）の材質に応じて、第１帯電部材４の極性を切り換えることができるように設けることができるのは勿論である。例えば、送られる原稿の種類によって帯電する極性の正負が逆になる場合、原稿の帯電極性に応じて逆の関係となるように第１帯電部材の極性を切り換えるように構成することができる。
【００８２】
本実施形態の原稿読み取り装置としてのスキャナー装置２は、読み取り前の原稿の一例である用紙Ｐを載置する第１載置部としての内側第１用紙案内部材９および用紙サポート部３０と、読み取り後の用紙Ｐを載置する第２載置部としての固定トレイ部２３および排出トレイ部５０と、内側第１用紙案内部材９および用紙サポート部３０から固定トレイ部２３および排出トレイ部５０までの用紙Ｐが送られる送り経路の一部を構成し、用紙Ｐの被読み取り面と接触する透明な板部材の一例であるガラス板５と、内側第１用紙案内部材９および用紙サポート部３０から原稿が読み取られる前記透明な板部材上の読み取り領域Ａを経由して固定トレイ部２３および排出トレイ部５０へ用紙Ｐを送る送り手段としての送りローラー６０と、読み取り領域Ａを通過する用紙Ｐを、ガラス板５を介して読み取る読み取り手段としての読み取り部７５と、ガラス板上における用紙Ｐと接触する面側に設けられ、ガラス板５と接触する用紙Ｐを固定トレイ部２３および排出トレイ部側へ案内する案内部材としての読み取り部側第２案内部７と、送り経路上における読み取り領域Ａと読み取り部側第２案内部７との間において、用紙Ｐの送り方向下流端である先端をガラス板５から浮かせる手段である用紙を浮かせる手段３と、を備えていることを特徴とする。
【００８３】
また、本実施形態において、用紙を浮かせる手段３は、ガラス板５と接触している用紙Ｐを基準としたガラス板側と反対側に設けられた第１帯電部材４であって、第１帯電部材４は、送られてきた用紙Ｐの帯電状態に対して正負逆の極性の帯電状態に構成されていることを特徴とする。  
尚、本実施形態では、用紙Ｐはプラス帯電となるので、第１帯電部材４をマイナス帯電にしている。
【００８４】
またさらに、本実施形態のスキャナー装置２では、用紙サポート部３０において、用紙Ｐは該用紙Ｐの被読み取り面を積層方向上方へ向けて載置され、用紙サポート部３０から読み取り領域Ａまで到達する間に用紙Ｐの被読み取り面が積層方向下方へ反転される構成であって、読み取り領域Ａは、ガラス板５の両端の中央を基準とした一端側であるＹ軸における矢印方向の上流側に偏倚しており、読み取り領域Ａにおける用紙Ｐの送り方向（Ｑ）は、ガラス板５の両端のうちの前記一端側から中央へ向かう方向であることを特徴とする。
［他の実施形態１］
【００８５】
図９に示すのは、他の実施形態１に係る用紙を浮かせる手段の原理を示す要部拡大概略側断面図である。  
図９に示す如く、他の実施形態１に係る用紙を浮かせる手段８１は、吸引手段の一例である吸引ファン８２と、吸引孔８３とを有している。  
尚、その他の部材については、前述した実施形態と同様であるので、同じ符号を用いることとしその説明は省略する。
【００８６】
このうち、吸引孔８３は、送り経路を基準とした給送装置側第４案内部側における読み取り部側第２案内部７の先端部７ｂと対向する範囲に複数設けられている。より具体的には、送り方向において、先端部７ｂより送り方向上流側から先端部７ｂより下流側となる範囲に設けられている。また、吸引ファン８２は、吸引孔８３を介して、先端部７ｂの近傍の空間の空気を吸引することができるように設けられている。即ち、先端部７ｂの近傍の空間において、ガラス板側から用紙側第４案内部側へ気流が生じるように構成されている。  
尚、吸引ファン８２はどの位置に設けられていてもよい。吸引孔８３の位置によって気流の向きを決めることができるからである。
【００８７】
従って、用紙Ｐの先端が第２押さえ部材１５を通過し、読み取り部側第２案内部７の先端部７ｂの手前まで到達した際、用紙Ｐの先端側に対して、吸引孔側へ引き寄せる力を作用させることができる。その結果、用紙Ｐの先端を、ガラス板５における第２読み取り面７９から離間させることができる。即ち、用紙Ｐの先端を、ガラス板５における第２読み取り面７９から浮き上がらせることができる。そして、前述した実施形態と同様に、用紙Ｐの先端が読み取り部側第２案内部７の先端部７ｂと接触して引っ掛かることを防止することができる。
【００８８】
尚、用紙Ｐの先端の位置を把握し、用紙Ｐの先端が第２押さえ部材１５を通過してから先端部７ｂを通過するまでの間だけ、吸引ファン８２によって吸引するように構成してもよい。係る場合、常に吸引ファン８２によって吸引する構成と比較して、消費電力を低減することができる。用紙Ｐの先端の位置は、センサーや読み取った情報から判断することができることは言うまでもない。  
また、送り経路において、吸引孔より送り方向下流側が開放されているため、読み取り部側第２案内部７の近傍で下流側から上流側へ向かう気流が生じる。そして、該気流によっても用紙の先端を、ガラス板５における第２読み取り面７９から浮き上がらせることができる。
【００８９】
他の実施形態１において、用紙を浮かせる手段８１は、吸引する気流を発生させる第１気流発生手段の一例である吸引ファン８２を有しており、吸引ファン８２は、ガラス板５と接触している用紙Ｐを基準としたガラス板側と反対側において、吸引する気流を発生させる構成であることを特徴とする。
［他の実施形態２］
【００９０】
図１０に示すのは、他の実施形態２に係る用紙を浮かせる手段の原理を示す要部拡大概略側断面図である。  
図１０に示す如く、他の実施形態２に係る用紙を浮かせる手段８４は、送風手段の一例である送風ファン８５と、送風孔８６とを有している。  
尚、その他の部材については、前述した実施形態と同様であるので、同じ符号を用いることとしその説明は省略する。
【００９１】
このうち、送風孔８６は、送り経路を基準とした読み取り部側第２案内部７の先端部７ｂにおいて幅方向Ｘに複数設けられている。より具体的には、送り方向における上流側に向かって、かつ、Ｚ軸方向下方へ向かって設けられている。言い換えると、ガラス板５の第２読み取り面７９に対して傾いて設けられている。また、送風ファン８５は、送風孔８６を介して、先端部７ｂの上流側近傍の空間へ空気を送り出すことができるように設けられている。即ち、先端部７ｂの上流側近傍の空間において、ガラス板５の第２読み取り面７９に沿って送り方向上流へ流れる気流が生じるように構成されている。  
尚、送風ファン８５はどの位置に設けられていてもよい。送風孔８６の位置によって気流の向きを決めることができるからである。
【００９２】
従って、用紙Ｐの先端が第２押さえ部材１５を通過し、読み取り部側第２案内部７の先端部７ｂの手前まで到達した際、用紙Ｐの先端側とガラス板５の第２読み取り面７９との間に風を入り込ませることができる。その結果、用紙Ｐの先端を、ガラス板５における第２読み取り面７９から離間させることができる。即ち、用紙Ｐの先端を、ガラス板５における第２読み取り面７９から浮き上がらせることができる。そして、前述した実施形態と同様に、用紙Ｐの先端が読み取り部側第２案内部７の先端部７ｂと接触して引っ掛かることを防止することができる。
【００９３】
他の実施形態２において、用紙を浮かせる手段８４は、送り出す気流を発生させる第２気流発生手段の一例である送風ファン８５を有しており、送風ファン８５は、読み取り部側第２案内部７における送り方向上流端から送り方向上流側の読み取り部側第２案内部７を通過する前の用紙Ｐの先端とガラス板５との間へ向かう気流を発生させる構成であることを特徴とする。
［他の実施形態３］
【００９４】
図１１に示すのは、他の実施形態３に係る用紙を浮かせる手段の原理を示す要部拡大概略側断面図である。  
図１１に示す如く、他の実施形態３に係る用紙を浮かせる手段８７は、第２帯電部材８８を有している。  
尚、その他の部材については、前述した実施形態と同様であるので、同じ符号を用いることとしその説明は省略する。
【００９５】
第２帯電部材８８は、読み取り部側第２案内部７の先端部７ｂに設けられている。そして、他の実施形態３では、第２帯電部材８８を、用紙Ｐの帯電状態と同じ極性となるように帯電させるように構成されている。具体的には、送り経路を構成する部材が前述した実施形態と同様であることを前提とすると用紙Ｐはプラス帯電となる。従って、第２帯電部材８８をプラス帯電となるように、第２帯電部材８８に正の電圧を加える。正の電圧は、電源電圧から電気的に接続することにより加えることができる。
【００９６】
これにより、プラス帯電の用紙Ｐと、プラス帯電の第２帯電部材８８との間において、互いに反発する力が作用する。従って、送り方向において第２押さえ部材１５を通過した用紙Ｐの先端側に対して、第２帯電部材側から離間させる方向へ力を作用させることができる。即ち、用紙Ｐの先端を読み取り部側第２案内部７の先端部７ｂと接触させないように、用紙Ｐの先端が先端部７ｂに接近することに従って徐々にＺ軸方向上方へ向かって離間させるように力を作用させることができる。
【００９７】
その結果、用紙Ｐの先端を、ガラス板５における第２読み取り面７９から離間させることができる。即ち、用紙Ｐの先端を、ガラス板５における第２読み取り面７９から浮き上がらせることができる。そして、前述した実施形態と同様に、用紙Ｐの先端が読み取り部側第２案内部７の先端部７ｂと接触して引っ掛かることを防止することができる。  
尚、他の実施形態３では用紙を浮かせる手段について説明したが、概念としては原稿を正負の一方の極性に帯電させる第１帯電手段と、読み取り部側第２案内部７に設けられた部材（８８）を原稿の帯電状態と正負同じの極性に帯電させる第３帯電手段とを有していればよい。
【００９８】
他の実施形態３において、用紙を浮かせる手段８７は、読み取り部側第２案内部７における送り方向上流側に設けられた第２帯電部材８８であって、第２帯電部材８８は、送られてきた用紙Ｐの帯電状態に対して正負同じ極性の帯電状態に構成されていることを特徴とする。  
尚、他の実施形態３では、用紙Ｐはプラス帯電となるので、第２帯電部材８８をプラス帯電にしている。
【００９９】
また、前述した本実施形態および他の実施形態１〜３の用紙を浮かせる手段（３、８１、８４、８７）をそれぞれ組み合わせてもよいのは勿論である。係る場合、浮き上がらせる力を増大させることができ有効である。  
またさらに、本発明は上記実施例に限定されることなく、特許請求の範囲に記載した発明の範囲内で、種々の変形が可能であり、それらも本発明の範囲内に含まれるものであることは言うまでもない。
【符号の説明】
【０１００】
１  プリンター複合機、２  スキャナー装置、３  用紙を浮かせる手段、
４  第１帯電部材、５  ガラス板、６  読み取り部側第１案内部、
７  読み取り部側第２案内部、７ａ  傾斜部、７ｂ  先端部、
８  Ｕ字型外側用紙案内部材、９  内側第１用紙案内部材、１０  プリンター本体部、
１１  内側第２用紙案内部材、１１ａ  給送装置側第３案内部、
１１ｂ  給送装置側第４案内部、１２  給送部、１３  記録部、１４  排出部、
１５  第２押さえ部材、１６  給送装置側第５案内部、２０  給送装置、２１  基体部、
２３  固定トレイ部、２４  凹部、３０  用紙サポート部、３１  サポート揺動軸、
３２  エッジガイド部、３３  給送開口部、４０  カバー部、４１  カバー軸部、
４２  一端側、４３  切欠き部、４４  他端側、４５  突片、５０  排出トレイ部、
５２  （排出トレイの）自由端側、５３  排出開口部、６０  送りローラー、
６１  （押さえ部）第１押さえ部材、７０  読み取り装置、７１  外装部、
７３  ガイド軸、７４  キャリッジ（ＣＩＳモジュール）、７５  読み取り部、
７８  第１読み取り面、７９  第２読み取り面、８０  ヒンジ部、
８１  （他の実施形態１の）用紙を浮かせる手段、８２  吸引ファン、８３  吸引孔、
８４  （他の実施形態２の）用紙を浮かせる手段、８５  送風ファン、８６  送風孔、
８７  （他の実施形態３の）用紙を浮かせる手段、８８  第２帯電部材、
９０  （問題点の）原稿読み取り装置、９１  送り経路、９２  ガラス板、
９３  読み取り領域、９４  案内部材、９４ａ  上流端、９５  原稿、
９６  第１載置部、９７  第２載置部、９８  送り手段、９９  読み取り手段、
Ａ  読み取り領域、Ｄ２  使用時ポジション、Ｅ１  不使用時位置、Ｅ２  使用時位置、
Ｐ  用紙、Ｑ  送り経路における送り方向、Ｘ  （用紙の）幅方向、
Ｙ  キャリッジの移動方向、Ｚ  （用紙の）積層方向
【図１】
2011091599.tif 000003
【図２】
2011091599.tif 000004
【図３】
2011091599.tif 000005
【図４】
2011091599.tif 000006
【図５】
2011091599.tif 000007
【図６】
2011091599.tif 000008
【図７】
2011091599.tif 000009
【図８】
2011091599.tif 000010
【図９】
2011091599.tif 000011
【図１０】
2011091599.tif 000012
【図１１】
2011091599.tif 000013
【図１２】
2011091599.tif 000014